(57)【要約】【課題】湿度の変動を抑えるのに要する消費エネルギーが少なくて済む低湿度室の空調システムを提供する。【解決手段】室内２に供給される空気中の水分を除去する除湿機４を備え、室内２の湿度に基づいて除湿機４の運転出力を制御する低湿度室の空調システム１０であって、室内２への人の出入りを検知する人感センサ１２と、除湿機４の系統とは別に設けられ、人感センサ１２からの検知信号に基づいて室内空気を調湿する調湿手段１４とをさらに備えるようにする。【選択図】図１
2012225615.tif 000002
【特許請求の範囲】
【請求項１】
室内に供給される空気中の水分を除去する除湿機を備え、室内の湿度に基づいて前記除湿機の運転出力を制御する低湿度室の空調システムであって、
室内への人の出入りを検知する人感センサと、前記除湿機の系統とは別に設けられ、前記人感センサからの検知信号に基づいて室内空気を調湿する調湿手段とをさらに備えることを特徴とする低湿度室の空調システム。
【請求項２】
前記調湿手段を、吸着剤フィルタを内蔵する送風ユニットで構成したことを特徴とする請求項１に記載の低湿度室の空調システム。
【発明の詳細な説明】
【技術分野】
【０００１】
本発明は、低湿度室の空調システムに関するものである。
【背景技術】
【０００２】
従来、リチウムイオン電池の製造施設などでは、相対湿度が１０％程度以下の低湿度室が使用されている（例えば、特許文献１、２参照）。図５は、従来の低湿度室の空調システムの概略構成図である。この図５に示すように、従来の低湿度室の空調システムは、取り込んだ外気（ＯＡ）を空調機６で空調して除湿機４で除湿した後、室内２に給気（ＳＡ）する。室内空気の一部は除湿機４に還気（ＲＡ）され、残りは室外に排気（ＥＡ）される。ここで、室内２等に設けた露点温度センサ８（Ｔｄ）の検知信号に基づいて除湿機４の運転出力を制御することで、室内２を所定の露点温度に維持するようになっている。
【先行技術文献】
【特許文献】
【０００３】
【特許文献１】特開２００３−１４２５１号公報
【特許文献２】特開２００９−１８６１２７号公報
【発明の概要】
【発明が解決しようとする課題】
【０００４】
ところで、水分の発生源である人が室内で作業したり、品物を搬入出するときに、一時的に室内の湿度が変動すると、低湿度環境を維持するために除湿機の運転が高出力になり、エネルギー消費が増大することがあった。
【０００５】
本発明は、上記に鑑みてなされたものであって、湿度の変動を抑えるのに要する消費エネルギーが少なくて済む低湿度室の空調システムを提供することを目的とする。
【課題を解決するための手段】
【０００６】
上記した課題を解決し、目的を達成するために、本発明の請求項１に係る低湿度室の空調システムは、室内に供給される空気中の水分を除去する除湿機を備え、室内の湿度に基づいて前記除湿機の運転出力を制御する低湿度室の空調システムであって、室内への人の出入りを検知する人感センサと、前記除湿機の系統とは別に設けられ、前記人感センサからの検知信号に基づいて室内空気を調湿する調湿手段とをさらに備えることを特徴とする。
【０００７】
また、本発明の請求項２に係る低湿度室の空調システムは、上述した請求項１において、前記調湿手段を、吸着剤フィルタを内蔵する送風ユニットで構成したことを特徴とする。
【発明の効果】
【０００８】
本発明によれば、室内に供給される空気中の水分を除去する除湿機を備え、室内の湿度に基づいて前記除湿機の運転出力を制御する低湿度室の空調システムであって、室内への人の出入りを検知する人感センサと、前記除湿機の系統とは別に設けられ、前記人感センサからの検知信号に基づいて室内空気を調湿する調湿手段とをさらに備えるので、人の出入りや品物の搬入出に伴う室内の露点温度の変動は人感センサを介して調湿手段により抑えられ、除湿機の運転出力の変動を必要最小限度に留めることができる。したがって、湿度の変動を抑えるのに要する消費エネルギーが少なくて済むという効果を奏する。
【図面の簡単な説明】
【０００９】
【図１】図１は、本発明に係る低湿度室の空調システムの実施例を示す図である。
【図２】図２は、本発明に係る低湿度室の空調システムの他の例を示す図である。
【図３】図３は、本発明に係る低湿度室の空調システムの他の例を示す図である。
【図４】図４は、本発明に係る低湿度室の空調システムの他の例を示す図である。
【図５】図５は、従来の低湿度室の空調システムの一例を示す図である。
【発明を実施するための形態】
【００１０】
以下に、本発明に係る低湿度室の空調システムの実施の形態を図面に基づいて詳細に説明する。なお、この実施例によりこの発明が限定されるものではない。
【００１１】
図１に示すように、本発明に係る低湿度室の空調システム１０は、空調機６と、室内２に供給される空気中の水分を除去する除湿機４を備えており、取り込んだ外気（ＯＡ）を空調機６で空調して除湿機４で除湿した後、室内２に給気（ＳＡ）する。室内空気の一部は除湿機４に還気（ＲＡ）され、残りは室外に排気（ＥＡ）される。ここで、室内２には露点温度センサ８（Ｔｄ）が設けてあり、露点温度センサ８の検知信号（湿度）に基づいて除湿機４の運転出力を制御することで、室内２を所定の露点温度に維持するようにしてある。
【００１２】
また、この空調システム１０は、室内２への人の出入りを検知する人感センサ１２と、除湿機４の系統とは別に設けられ、人感センサ１２からの検知信号に基づいて室内空気を調湿する送風ユニット１４（調湿手段）とをさらに備える。
【００１３】
送風ユニット１４は、吸着剤フィルタ１６およびファン１８を内蔵しており、床２０の上に設置して室内空気を循環することによって湿度の変動を抑え、低湿度室内２を所定の湿度に維持するためのものである。ファン１８の送風量は、人感センサ１２からの信号で調節されるようにしてある。
【００１４】
吸着剤フィルタ１６の吸着剤は、水分を吸脱着する性質があるので、湿度が高くなると水分を吸着し、湿度が低くなると水分を脱着する。したがって、吸着剤フィルタ１６を内蔵した送風ユニット１４で室内空気を循環することによって湿度の変動を小さくすることができる。この吸着剤フィルタ１６に用いる吸着剤としては、活性炭、シリカゲル、ゼオライト、活性アルミナ等の多孔質吸着剤や高分子吸着剤が好適である。
【００１５】
上記構成の動作および作用について説明する。
室内２への人の出入りや品物の搬入出があると、人感センサ１２がこれを検知し、送風ユニット１４のファン１８が作動する。ファン１８により送風ユニット１４内部に導入された室内空気中の水分は吸着剤フィルタ１６で吸脱着され、調湿した空気が室内２に送り出される。このように、室内空気を送風ユニット１４で循環することによって人の出入り等に伴う湿度の変動、つまり露点温度の変化は小さくなる。このため、露点温度センサ８の検知信号による除湿機４の運転出力の変動を必要最小限度に留めることができる。したがって、湿度の変動を抑えるのに要する消費エネルギーが従来の空調システムに比べて少なくて済み、省エネルギーを図ることができる。
【００１６】
このように、本発明に係る低湿度室の空調システム１０は、人感センサ１２で除湿機４を直接制御するものではなく、調湿機能を有する吸着剤フィルタ１６を内蔵した送風ユニット１４を制御することで省エネルギーを図りながら湿度の変動を抑制するものである。ここで、吸湿のみの除湿は時間もエネルギーも要するが、吸放湿によって一定湿度を維持する調湿は迅速に達成できると同時にエネルギーも節約できる。このため、湿度を維持するのに調湿手段を利用する本発明は、除湿機を直接制御する手法に比べこの点において有利である。
【００１７】
上記の実施の形態においては、送風ユニット１４の配置形態として床上に配置される床置きタイプの場合を例にとり説明したが、室内空気を循環的に調湿可能な態様であればこれに限るものではなく、例えば、図２に示すように、送風ユニット１４を壁２２内に一体的に組み込んだ壁組み込みタイプとしてもよい。また、図３に示すように、送風ユニット１４を天井２４に組み込んだ天井組み込みタイプ、図４に示すように、送風ユニット１４を室外に設けた室外別置きタイプのような配置形態としてもよく、いずれにしても本発明と同一の効果を奏することができる。
【００１８】
以上説明したように、本発明によれば、室内に供給される空気中の水分を除去する除湿機を備え、室内の湿度に基づいて前記除湿機の運転出力を制御する低湿度室の空調システムであって、室内への人の出入りを検知する人感センサと、前記除湿機の系統とは別に設けられ、前記人感センサからの検知信号に基づいて室内空気を調湿する調湿手段とをさらに備えるので、人の出入りや品物の搬入出に伴う室内の露点温度の変動は人感センサを介して調湿手段により抑えられ、除湿機の運転出力の変動を必要最小限度に留めることができる。したがって、湿度の変動を抑えるのに要する消費エネルギーが少なくて済む。
【産業上の利用可能性】
【００１９】
以上のように、本発明に係る低湿度室の空調システムは、リチウムイオン電池製造施設等に必要な低湿度室の性能向上を図るのに有用であり、特に、室内を一定の低湿度に維持するのに適している。
【符号の説明】
【００２０】
２  低湿度室内
４  除湿機
６  空調機
８  露点温度センサ
１０  低湿度室の空調システム
１２  人感センサ
１４  送風ユニット（調湿手段）
１６  吸着剤フィルタ
１８  ファン
２０  床
２２  壁
２４  天井
ＯＡ  外気
ＳＡ  給気
ＲＡ  還気
ＥＡ  排気
【図１】
2012225615.tif 000003
【図２】
2012225615.tif 000004
【図３】
2012225615.tif 000005
【図４】
2012225615.tif 000006
【図５】
2012225615.tif 000007